(57)【要約】【課題】ズームレンズ等のレンズ鏡筒がカメラ筐体から突出した状態でカメラが地面上に落下する場合であっても、レンズ鏡筒の損傷を防止する。【解決手段】カメラ筐体２から突出するレンズ鏡筒３と、外側への飛び出し可能にカメラ筐体２の内部に格納され、カメラ筐体２と連結された状態でカメラ筐体２の外側に飛び出すことによりカメラ筐体２よりも大きな空気抵抗を有した形態となる落下抵抗体４と、カメラの落下を検知する落下検知手段と、落下検知手段がカメラの落下を検知したとき、前記落下抵抗体をカメラ筐体から飛び出させる制御手段とを備える。落下抵抗体４は、落下の際にレンズ鏡筒３が地面と直接に衝突しないような撮像装置１の落下姿勢を保つ位置に配置されている。【選択図】図１
2008242210.tif 000002
【特許請求の範囲】
【請求項１】
撮像装置筐体から突出するレンズ鏡筒と、
外側への飛び出し可能に撮像装置筐体の内部に格納され、撮像装置筐体と連結された状態で撮像装置筐体の外側に飛び出すことにより撮像装置筐体よりも大きな空気抵抗を有した形態となる落下抵抗体と、
撮像装置の落下を検知する落下検知手段と、
該落下検知手段が撮像装置の落下を検知したとき、前記落下抵抗体を撮像装置筐体から飛び出させる制御手段と、を備え、
前記落下抵抗体は、落下の際に前記レンズ鏡筒が地面と直接に衝突しないような撮像装置の落下姿勢を保つ位置に配置されていることを特徴とする撮像装置の落下保護装置。
【請求項２】
前記落下検知手段が撮像装置の落下を検知したとき、前記レンズ鏡筒を撮像装置筐体の内部に収納する鏡筒駆動手段を備えることを特徴とする請求項１に記載の撮像装置の落下保護装置。
【請求項３】
前記落下抵抗体は、レンズ鏡筒が突出している撮像装置筐体の面と反対側の面を除いた部分から飛び出るように配置されていることを特徴とする請求項１または請求項２に記載の撮像装置の落下保護装置。
【請求項４】
前記落下抵抗体は、撮像装置筐体のレンズ鏡筒が設けられた面から飛び出るように配置されていることを特徴とする請求項１から請求項３のいずれかに記載の撮像装置の落下保護装置。
【請求項５】
前記落下抵抗体は、撮像装置筐体から飛び出したときに広がるパラシュート又は羽根であることを特徴とする請求項１から請求項４いずれかに記載の撮像装置の落下保護装置。
【請求項６】
レンズ鏡筒が地面と直接に衝突しないように撮像装置の落下姿勢を保つ落下抵抗体を撮像装置筐体の内部に格納する撮像装置における落下保護方法であって、
撮像装置の落下を検知する第１ステップと、
撮像装置落下を検知したとき前記落下抵抗体を撮像装置筐体から飛び出させる第２ステップと、
を備えたことを特徴とする落下保護方法。
【請求項７】
前記レンズ鏡筒を撮像装置筐体の内部に収納する第３ステップをさらに備えたことを特徴とする請求項６に記載の落下保護方法。
【請求項８】
レンズ鏡筒が地面と直接に衝突しないように撮像装置の落下姿勢を保つ落下抵抗体を撮像装置筐体の内部に格納する撮像装置のコンピュータに、
撮像装置の落下を検知する第１ステップと、
撮像装置落下を検知したとき前記落下抵抗体を撮像装置筐体から飛び出させる第２ステップと、
を実行させるためのプログラム。
【請求項９】
前記コンピュータに、前記レンズ鏡筒を撮像装置筐体の内部に収納する第３ステップをさらに実行させるための請求項８に記載のプログラム。
【発明の詳細な説明】
【技術分野】
【０００１】
本発明は、撮像装置が落下したときにレンズ鏡筒の破壊を防止したり、レンズ鏡筒内のレンズの割れを防止することが可能な撮像装置の落下保護装置、落下保護方法及びプログラムに関する。
【背景技術】
【０００２】
デジタルカメラを始めとした撮像装置では、ズームレンズ等のようにレンズ鏡筒が撮像装置筐体に対して突出及び引き込み可能となっている。このような撮像装置がレンズ鏡筒の突出状態で地面上へ落下し、レンズ鏡筒が地面に衝突すると、その衝撃でレンズ鏡筒が割れたり、レンズ鏡筒内のレンズが割れたり欠けたりする不都合がある。
【０００３】
特許文献１には、地面上へのカメラの落下によってズームレンズが損傷することを防止する構造が開示されている。このカメラでは、カメラ筐体に加わる加速度を検出する加速度センサーと、カメラ筐体を把持する力を検出するグリップセンサーとを備えている。そして、カメラが撮影者の手から外れて落下すると、グリップセンサーが把持力ゼロを検出し、その後、加速度センサーが所定加速度以上を検出する。これらの検出により、カメラ筐体に設けたレンズ駆動手段がズームレンズをカメラ筐体の内部に引き込むように作動する。これによりズームレンズが地面と衝突することがなくなり、ズームレンズの損傷を防止している。
【特許文献１】特開２００５−８４０９３号公報
【発明の開示】
【発明が解決しようとする課題】
【０００４】
しかしながら、特許文献１記載のカメラにおいても、カメラが地面に近い高さから落下する場合などでは、ズームレンズのカメラ筐体内への収納が遅れてズームレンズがカメラ筐体から突出した状態のままで地面と衝突する。従って、地面への衝突の衝撃でズームレンズが割れたり、欠けたりする事故が発生する可能性がある。また、ズームレンズをカメラ筐体の内部に収納する構造でないカメラでは、ズームレンズが地面と衝突することを回避できず、ズームレンズの損傷を防止することができない。
【０００５】
そこで、本発明は、上述の課題に鑑みてなされたものであり、ズームレンズ等のレンズ鏡筒が撮像装置筐体から突出した状態で撮像装置が地面上に落下する場合であっても、レンズ鏡筒の損傷を防止できる撮像装置の落下保護装置、落下保護方法及びプログラムを提供することを目的とする。
【課題を解決するための手段】
【０００６】
本発明は、上記の課題を解決するために以下の事項を提案している。
（１）本発明は、撮像装置筐体から突出するレンズ鏡筒と、外側への飛び出し可能に撮像装置筐体の内部に格納され、撮像装置筐体と連結された状態で撮像装置筐体の外側に飛び出すことにより撮像装置筐体よりも大きな空気抵抗を有した形態となる落下抵抗体と、撮像装置の落下を検知する落下検知手段と、該落下検知手段が撮像装置の落下を検知したとき、前記落下抵抗体を撮像装置筐体から飛び出させる制御手段と、を備え、前記落下抵抗体は、落下の際に前記レンズ鏡筒が地面と直接に衝突しないような撮像装置の落下姿勢を保つ位置に配置されていることを特徴とする撮像装置の落下保護装置を提案している。
【０００７】
（２）本発明は、（１）の撮像装置の落下保護装置について、前記落下検知手段が撮像装置の落下を検知したとき、前記レンズ鏡筒を撮像装置筐体の内部に収納する鏡筒駆動手段を備えることを特徴とする撮像装置の落下保護装置を提案している。
【０００８】
（３）本発明は、（１）または（２）の撮像装置の落下保護装置について、前記落下抵抗体は、レンズ鏡筒が突出している撮像装置筐体の面と反対側の面を除いた部分から飛び出るように配置されていることを特徴とする撮像装置の落下保護装置を提案している。
【０００９】
（４）本発明は、（１）から（３）の撮像装置の落下保護装置について、前記落下抵抗体は、撮像装置筐体のレンズ鏡筒が設けられた面から飛び出るように配置されていることを特徴とする撮像装置の落下保護装置を提案している。
【００１０】
（５）本発明は、（１）から（４）の撮像装置の落下保護装置について、前記落下抵抗体は、撮像装置筐体から飛び出したときに広がるパラシュート又は羽根であることを特徴とする撮像装置の落下保護装置を提案している。
【００１１】
（６）本発明は、レンズ鏡筒が地面と直接に衝突しないように撮像装置の落下姿勢を保つ落下抵抗体を撮像装置筐体の内部に格納する撮像装置における落下保護方法であって、撮像装置の落下を検知する第１ステップと、撮像装置落下を検知したとき前記落下抵抗体を撮像装置筐体から飛び出させる第２ステップと、を備えたことを特徴とする落下保護方法を提案している。
【００１２】
（７）本発明は、（６）の落下保護方法について、前記レンズ鏡筒を撮像装置筐体の内部に収納する第３ステップをさらに備えたことを特徴とする落下保護方法を提案している。
【００１３】
（８）本発明は、レンズ鏡筒が地面と直接に衝突しないように撮像装置の落下姿勢を保つ落下抵抗体を撮像装置筐体の内部に格納する撮像装置のコンピュータに、撮像装置の落下を検知する第１ステップと、撮像装置落下を検知したとき前記落下抵抗体を撮像装置筐体から飛び出させる第２ステップと、を実行させるためのプログラムを提案している。
【００１４】
（９）本発明は、（８）のプログラムについて、前記コンピュータに、前記レンズ鏡筒を撮像装置筐体の内部に収納する第３ステップをさらに実行させるためのプログラムを提案している。
【発明の効果】
【００１５】
本発明によれば、撮像装置の落下の際に空気抵抗体が撮像装置筐体から飛びだして落下の際の大きな空気抵抗となって撮像装置が遅い速度で落下すると共に、レンズ鏡筒が地面との直接の衝突を回避するため、衝突によるレンズ鏡筒やレンズの割れ等の損傷を防止できるという効果がある。
【発明を実施するための最良の形態】
【００１６】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００１７】
＜第１の実施形態＞  
図１から図３は、本発明の第１の実施形態を示し、図１は落下時の斜視図、図２は電気系のブロック図、図３はフローチャートを示している。
【００１８】
図１に示す撮像装置１はデジタルカメラであり、図１に示すように、カメラ筐体２と、レンズ鏡筒３とを備えている。
【００１９】
カメラ筐体２は、撮像装置として機能するための各種部品を備えている。すなわち、いずれも図示を省略するが、適切な露光光量を得るために発光するストロボ（図２における符号２６）、被写体を見るためのファインダー窓、撮影の際に押圧操作されるレリーズボタン（シャッタスイッチ）、その他の機能部品がカメラ筐体２に設けられる。又、カメラ筐体２には、ＳＤメモリカード等の外部メモリ（図２における符号３４）が着脱自在となっており、撮影した画像データを外部メモリに記録することができる。
【００２０】
レンズ鏡筒３はカメラ筐体２の前面に設けられている。レンズ鏡筒３の内部には、複数のレンズ（図示省略）が設けられている。図示する実施形態において、レンズ鏡筒３は多段で伸縮するようになっている。又、レンズ鏡筒３の全体は、カメラ筐体２の内部に収納可能となっており、その収納動作は、鏡筒駆動手段としてのレンズモーター２２（図２参照）が駆動することにより行われる。レンズ鏡筒３の全体がカメラ筐体２の内部に収納された状態では、図示を省略したレンズバリヤがカメラ筐体２の対応部分を塞いで保護するようになっている。
【００２１】
以上に加えて、撮像装置１には、落下抵抗体４が設けられている。落下抵抗体４は通常時は、カメラ筐体２の内部に格納されており、撮像装置１が落下したとき、カメラ筐体２から外側に飛び出すように作動する。そして、カメラ筐体２の外側に飛び出すことにより、落下抵抗体４はカメラ筐体２よりも大きな空気抵抗を有した形態（形状）となる。また、カメラ筐体２の外側に飛び出す際には、落下抵抗体４はカメラ筐体２と連結された状態となっている。このような大きな空気抵抗を有した落下抵抗体４がカメラ筐体２と連結された状態でカメラ筐体２から飛び出すことにより、撮像装置１は通常の落下速度よりも十分に遅くなった緩速度で落下することができる。従って、撮像装置１が地面に衝突しても、その衝撃が小さくなる。
【００２２】
落下抵抗体４は、カメラ筐体２の外側に飛び出したとき、レンズ鏡筒３が地面と直接に接触しないような撮像装置１の落下姿勢を保つように作用する。即ち、レンズ鏡筒３が地面に臨んだ姿勢、具体的には、カメラ筐体２よりもレンズ鏡筒３が下側に位置した姿勢以外の落下姿勢を保つように作用する。
【００２３】
落下抵抗体４はカメラのこのような落下姿勢を保つため、カメラ筐体２から飛び出す位置が特定され、落下抵抗体４はレンズ鏡筒３が突出しているカメラ筐体２の面と反対側の面以外の部分に配置され、その配置位置から外側に飛び出すようになっている。なお、本実施形態では、落下抵抗体４はレンズ鏡筒３が突出している面から飛び出すように配置されている。また、図１の例では、落下抵抗体４が、この面における離れた複数箇所（３箇所）から飛び出す。したがって、落下抵抗体４が離れた複数箇所から飛び出すことにより、カメラ筐体２を均等に吊り下げた釣り合いが取れた状態に保つことができる。これによりレンズ鏡筒３の突出した面が上を向いた姿勢、即ちカメラ筐体２を挟んでレンズ鏡筒３が地面と反対側に位置した姿勢となって撮像装置１が落下する。
【００２４】
このように、カメラの落下姿勢を保つことにより、レンズ鏡筒３が地面と直接に衝突することがなくなる。従って、落下抵抗体４によって緩速度となって地面に到達して衝撃が小さくなる上述の作用に加えて、レンズ鏡筒３が地面と直接に衝突しないため、衝撃が直接的に作用することがない。これにより、レンズ鏡筒３内のレンズが割れたり、レンズ鏡筒３自体が割れる等の損傷を確実に防止できる。
【００２５】
なお、図１の例では、落下抵抗体４が、レンズ鏡筒３が突出している面における離れた複数箇所（３箇所）から飛び出す場合を例示したが、これに限らず、レンズ鏡筒３付近に落下抵抗体４を一つ設けるような構成であってもよい。この場合は、落下抵抗体４が複数の場合に比べて方向制御能力が多少劣るものの、実装の自由度が上がるという利点がある。
【００２６】
本実施形態において、それぞれの落下抵抗体４は傘部４ａと、傘部４ａをカメラ筐体２に連結する複数の連結糸４ｂとからなるパラシュートによって形成されている。傘部４ａは柔軟なフィルム材料によって形成されており、連結糸４ｂと共に小さく折り畳むことができ、折り畳み状態でカメラ筐体２の対応部位に格納されている。また、図示を省略するが、パラシュートからなる落下抵抗体４は、発射装置６（図２参照）と共にカメラ筐体２の内部に格納される。発射装置６としては、例えば、ガスを噴射するガス噴射筒であって良く、落下抵抗体４は折り畳まれた状態でガス噴射筒の内部に収納されてカメラ筐体２に格納される。落下抵抗体４をパラシュートの形態とすることにより、折り畳み状態を小さくできるため、カメラ筐体２内への配置スペースが大きく必要とすることがなく、カメラ筐体２への配置自由度が大きくなる。
【００２７】
撮像装置１には、落下検知手段が設けられる。落下検知手段としては、撮影時の手振れ補正のために使用される加速度センサー５（図２参照）を用いることができる。加速度センサー５は、例えば、０．１２５ミリ秒毎などの所定のサンプリング周期で検出値を出力して、カメラの落下を検出す。なお、加速度センサー５に加えてカメラ筐体２にグリップセンサーを適宜設けても良い。ここで、グリップセンサーは、カメラ筐体２を把持する把持力を検出するものであり、検出値がゼロになったとき、撮像装置１が手から離れたことを検知する。
【００２８】
＜電気的構成＞
図２は、撮像装置１の電気的構成を示すブロック図である。
レンズブロック２１には、ズームレンズ、フォーカスレンズ等の光学系を有しており、この実施形態では上述したレンズ鏡筒３を構成している。レンズブロック２１は、鏡筒駆動手段としてのモーター２２により光軸方向に駆動される。これにより、レンズブロック２１（レンズ鏡筒３）はカメラ筐体２から突出したり、カメラ筐体２の内部に収納されるように駆動する。
【００２９】
モーター２２は、モータードライバー２４に接続されており、モータードライバー２４はＣＰＵ２３の命令によりモーター２２を駆動する。ＣＰＵ２３は撮像装置１の全体を制御するものである。ストロボ２６は、ＣＰＵ２３の命令に従って発光する。
【００３０】
ＣＣＤ２７は撮像素子であり、レンズブロック２１の光軸上に配置され、被写体はレンズブロック２１の光学系を介してＣＣＤ２７の受光面に結像する。ＣＣＤ２７は、ＣＰＵ２３の命令に従い、タイミングジェネレータ（ＴＧ）２８が生成するタイミング信号に基づき垂直及び水平ドライバ２９により駆動され、被写体の光学像に応じたアナログの撮像信号を信号処理回路３０に出力する。信号処理回路３０は、ＣＤＳ回路やＡＤ変換器等から構成されており、デジタルに変換した撮像信号を画像処理部３１へ出力する。
【００３１】
画像処理部３１は入力された画像信号に対し所定のデジタル信号処理を行う。画像処理部３１で処理されたデータは、順次、ＳＤＲＡＭ３２に格納される。記録モード（ＲＥＣモード）では、画像データが蓄積される毎にビデオ信号に変換され、バックライト（ＢＬ）３３ａを備えたＬＣＤ３３がスルー画像として画面表示する。外部メモリ３４では、ＳＤＲＡＭ３２に格納された画像データがＣＰＵ２３によって圧縮された後、その圧縮画像を記録する。フラッシュメモリ３５には、制御のためのＣＰＵ２３用の各種のプログラムやＣＰＵ２３が用いる各種のデータが格納されている。
【００３２】
音声チップ４１は、スピーカ（ＳＰ）４２、マイクロホン（ＭＩＣ）４３が接続されており、マイクロホン４３から入力された音声信号を処理してＣＰＵ２３に入力する一方、外部メモリ３４に記録されている音声データを音声信号に変換してスピーカ４２を駆動する。
【００３３】
ＣＰＵ２３にはマイコン４０が接続されている。マイコン４０は、シャッターキー、ズームボタン等のキー入力部３６、バッテリー３７、バッテリー３７の電力を各部に供給する電源制御回路３８が接続されている。マイコン４０は、これらの駆動を制御する。
【００３４】
マイコン４０は、カメラの落下を検知する落下検知手段としての加速度センサー５が接続されており、加速度センサー５が検知した重力が入力され、入力された重力に基づいてカメラが落下しているか否かを判定する。さらに、マイコン４０にはパラシュート（落下抵抗体４）の発射装置６が接続されており、発射装置６にはパラシュート４が設けられている。マイコン４０は落下抵抗体４の飛び出しの制御手段として機能するものであり、発射装置６に駆動命令を出力し、発射装置６は落下抵抗体４をカメラ筐体２の外側に飛び出させる。
【００３５】
＜処理フロー＞
図３は、この実施形態のフローチャートであり、落下保護プログラムとしてフラッシュメモリ３５に格納されている。
【００３６】
ステップＳ１１では、加速度センサー５によって重力を検出する。撮像装置１がグリップセンサーを備えている場合には、グリップセンサーの検出値がゼロになったとき、加速度センサー５が重力を検出する。
【００３７】
マイコン４０は、加速度センサー５が検出した重力が所定値（本実施形態ではゼロ）であるか否かを判定する（ステップＳ１２）。重力がゼロの場合、マイコン４０は撮像装置１が落下していると判断する。重力がゼロ以外のとき、ステップＳ１１に戻る。ステップＳ１２でカメラが落下していると判断したとき、マイコン４０は発射装置６を駆動して落下抵抗体４（パラシュート）をカメラ筐体２の外側に飛び出させる（ステップＳ１３）。これにより、上述した図１の状態、即ち、レンズ鏡筒３が上方に位置した状態を保って撮像装置１が落下するため、レンズ鏡筒３が地面に直接に衝突することがなく、衝突に起因したレンズ鏡筒３や内部のレンズの損傷を防止できる。
【００３８】
＜第２の実施形態＞
図４は、本発明の第２の実施形態のフローチャートを示す。
このフローチャートは、落下保護プログラムとしてフラッシュメモリ３５に格納されている。なお、図４は、記録モード（ＲＥＣモード）のときに撮像装置１が落下した場合のフローチャートである。
【００３９】
ステップＳ２１では、加速度センサー５が重力を検出し、ステップＳ２２で重力がゼロとなったとき、撮像装置１が落下していると判断しステップＳ２３に移行する。ステップＳ２２で重力がゼロ以外のときには、ステップＳ２１に戻る。一方、ステップＳ２３では、マイコン４０が発射装置６を駆動して落下抵抗体４（パラシュート）をカメラ筐体２の外側に飛び出させる。これにより、撮像装置１は緩速度で落下する。
【００４０】
ステップＳ２３に続くステップＳ２４では、レンズ鏡筒３の収納動作を開始する。レンズ鏡筒３の収納動作は、モーター２２が駆動することにより行われる。ステップＳ２５では、レンズ鏡筒３の収納動作が完了したか否かを判定しており、レンズ鏡筒３の収納動作が完了したとき、ＣＰＵ、メモリ等の機能部品をスタンバイモードとする（ステップＳ２６）。その後、電源をＯＦＦとする（ステップＳ２７）。
【００４１】
以上のような制御では、撮像装置１の落下を検知した段階で落下抵抗体４がカメラ筐体２から飛び出して撮像装置１の落下速度を緩速度とし、この緩速度の状態でレンズ鏡筒３をカメラ筐体２内に収納するため、レンズ鏡筒３を確実にカメラ筐体２の内部に収納することができる。従って、撮像装置１が地面に到達した時点では、レンズ鏡筒３がカメラ筐体２から露出していないため、レンズ鏡筒３が地面と衝突することがない。また、撮像装置１が緩速度で地面に衝突するため、衝撃が小さいものとなる。これにより、レンズ鏡筒３やその内部のレンズの損傷を防止することができる。
【００４２】
本実施形態では、撮像装置１が緩速度で落下している間にレンズ鏡筒３がカメラ筐体２の内部に収納されるため、第１の実施形態のように、レンズ鏡筒３の突出した面が上を向いた姿勢、即ちカメラ筐体２を挟んでレンズ鏡筒３が地面と反対側に位置した姿勢となって撮像装置１が落下しなくてもレンズ鏡筒３が地面と直接に衝突することがない。従って、本実施形態では、レンズ鏡筒３が下方に位置した状態で落下しても良く、第１の実施形態のような落下姿勢を保つように落下抵抗体４を設ける必要がない。これにより、落下抵抗体４の配置の自由度が拡大し、デザイン性が向上するメリットがある。
【００４３】
図５は、本実施形態における落下抵抗体４の飛び出し状態の一例を示している。落下抵抗体４は、カメラ筐体２における４側面の一の角部から外側に飛び出すように配置されている。また、落下抵抗体４は単一となって飛び出すものである。このような落下抵抗体４では、レンズ鏡筒３が必ずしも地面と直接に衝突しないような撮像装置１の落下姿勢を保つことはできないが、落下抵抗体４が展開したことによる緩速度での撮像装置１の落下中にレンズ鏡筒３がカメラ筐体２の内部に収納されるため、レンズ鏡筒３の保護を行うことができる。
【００４４】
＜第３の実施形態＞  
本実施形態では、撮像装置１が落下する際に、レンズ鏡筒３が地面と直接に衝突しないような落下姿勢となるように落下抵抗体４が設けられている。例えば、図１のように、レンズ鏡筒３が上方を向いた落下姿勢となるように落下抵抗体４が設けられている。これに加えて、本実施形態では、図４のフローチャートに基づいて制御されるものであり、撮像装置１の落下を検知したとき、落下抵抗体４がカメラ筐体２から飛び出した後、レンズ鏡筒３をカメラ筐体２の内部に収納するように作動する。
【００４５】
したがって、本実施形態によれば、レンズ鏡筒３が地面と衝突しない落下姿勢で撮像装置１が落下すると共に、撮像装置１の落下中にレンズ鏡筒３がカメラ筐体２に収納される。このため、レンズ鏡筒３の地面との衝突をさらに確実に回避することができ、レンズ鏡筒３や内部のレンズの損傷をさらに確実に防止できるメリットがある。
【００４６】
＜その他の実施形態＞
図６は、落下抵抗体の別の形態を示す。本実施形態の落下抵抗体８は多数の羽体８ａをそれぞれ有した羽根によって形成されている。羽体８ａは柔軟なシートやフィルムによって形成されており、折り畳んだ状態でカメラ筐体２の内部に格納される。カメラ筐体２の内部には、落下抵抗体８を外側に飛び出させる駆動部材（図示省略）が設けられており、撮像装置１の落下を検知したとき、落下抵抗体８がカメラ筐体２の外側に飛び出るように制御されている。落下抵抗体８を羽根によって形成することにより、格納スペースが小さくなり、配置自由度が大きくなる。
【００４７】
落下抵抗体８はカメラ筐体２と連結した状態でカメラ筐体２の外側に飛び出るものであり、また、落下抵抗体８はカメラ筐体２におけるレンズ鏡筒３の配置面の４隅部分から飛び出るように配置されている。従って、この場合にも、レンズ鏡筒３が地面に直接に衝突しない落下姿勢となって撮像装置１が落下するため、レンズ鏡筒３や内部のレンズの損傷を防止できる。
【００４８】
以上、この発明の実施形態につき、図面を参照して詳述してきたが、具体的な構成はこの実施形態に限られるものではなく、この発明の要旨を逸脱しない範囲の設計等も含まれる。例えば、落下抵抗体として、風船のように膨張する形態であっても良い。また、レンズ鏡筒３はカメラ筐体２から突出及び収納可能とすることなく、カメラ筐体２の外面に常時、突出しているものであっても良い。
【図面の簡単な説明】
【００４９】
【図１】本発明の第１実施形態のカメラの落下状態を示す斜視図である。
【図２】カメラの電気的構成を示すブロック図である。
【図３】第１実施形態の制御を説明するフローチャートである。
【図４】第２実施形態の制御を説明するフローチャートである。
【図５】第２実施形態におけるカメラの落下姿勢の一例を示す斜視図である。
【図６】落下抵抗体の別の形態を示す斜視図である。
【符号の説明】
【００５０】
１  カメラ
２  カメラ筐体
３  レンズ鏡筒
４、８  落下抵抗体
【図１】
2008242210.tif 000003
【図２】
2008242210.tif 000004
【図３】
2008242210.tif 000005
【図４】
2008242210.tif 000006
【図５】
2008242210.tif 000007
【図６】
2008242210.tif 000008